(57)【要約】【課題】  フィードバック制御が不可能な高周波数を有するパルス光のパワーを正確に決定するパワー決定装置を提供する。【解決手段】  フィードバック制御が可能な周波数領域において既知のパワーＰＷ２，ＰＷ３を有するパルス光を出射したときの駆動電圧ＶＤ２，ＶＤ３が検出される。また、フィードバック制御が不可能な周波数ｆｈを有するパルス光を出射したときの駆動電圧ＶＤ１が検出される。そして、駆動電圧ＶＤ２，ＶＤ３と既知のパワーＰＷ２，ＰＷ３との相関関係ｋ１が検出され、その検出された相関関係ｋ１に基づいて駆動電圧ＶＤ１に対応するパワーＰＷ１が求められる。そうすると、このパワーＰＷ１が周波数ｆｈを有するパルス光のパワーと決定される。【選択図】        図２
2006277858.tif 000002
【特許請求の範囲】
【請求項１】
パルス光のパワーがフィードバック制御可能であるときの前記パルス光の周波数の限界値である基準周波数よりも高い第１の周波数を有するパルス光を用いて信号を光ディスクに記録する光ピックアップにおける前記第１の周波数を有するパルス光のパワーを決定するパワー決定装置であって、
前記基準周波数以下の第２の周波数からなる周波数領域において前記パルス光の複数の既知のパワーが得られるようにフィードバック制御されたときの複数の第１のレーザ駆動電圧を検出するとともに、前記第１の周波数を有するパルス光が出射されたときの第２のレーザ駆動電圧を検出する検出手段と、
前記複数の既知のパワーと前記複数の第１のレーザ駆動電圧との相関関係に基づいて、前記第２のレーザ駆動電圧によって出射されたパルス光のパワーを類推して前記第１の周波数を有するパルス光のパワーを決定するパワー決定手段とを備えるパワー決定装置。
【請求項２】
前記検出手段は、前記第１の周波数を有するパルス光によって前記信号を前記光ディスクに記録した後に前記複数の第１のレーザ駆動電圧を検出する、請求項１に記載のパワー決定装置。
【請求項３】
前記検出手段は、前記第１の周波数を有するパルス光によって前記信号を前記光ディスクに記録するときに前記第２のレーザ駆動電圧を検出する、請求項１または請求項２に記載のパワー決定装置。
【請求項４】
前記パワー決定手段は、前記相関関係を前記第２のレーザ駆動電圧の領域まで延長するとともに、前記延長した相関関係を用いて前記第２のレーザ駆動電圧に対応するパワーを検出し、その検出したパワーを前記第１の周波数を有するパルス光のパワーと決定する、請求項１から請求項３のいずれか１項に記載のパワー決定装置。
【請求項５】
パルス光のパワーがフィードバック制御可能であるときの前記パルス光の周波数の限界値である基準周波数よりも高い第１の周波数を有するパルス光を用いて信号を光ディスクに記録する光ピックアップにおける前記第１の周波数を有するパルス光のパワーを決定するパワー決定方法であって、
前記基準周波数以下の第２の周波数からなる周波数領域において前記パルス光の複数の既知のパワーを決定し、その決定した複数の既知のパワーが得られるようにフィードバック制御されたときの複数の第１のレーザ駆動電圧を検出する第１のステップと、
前記第１の周波数を有するパルス光が出射されたときの第２のレーザ駆動電圧を検出する第２のステップと、
前記複数の既知のパワーと前記複数の第１のレーザ駆動電圧との相関関係に基づいて、前記第２のレーザ駆動電圧によって出射されたパルス光のパワーを類推して前記第１の周波数を有するパルス光のパワーを決定する第３のステップとを備えるパワー決定方法。
【請求項６】
前記第１のステップは、前記第１の周波数を有するパルス光によって前記信号を前記光ディスクに記録した後に実行される、請求項５に記載のパワー決定方法。
【請求項７】
前記第２のステップは、前記第１の周波数を有するパルス光によって前記信号を前記光ディスクに記録するときに実行される、請求項５または請求項６に記載のパワー決定方法。
【請求項８】
前記第３のステップは、
前記複数の既知のパワーと前記複数の第１のレーザ駆動電圧との相関関係を検出するステップと、
前記検出された相関関係を前記第２のレーザ駆動電圧の領域まで延長するとともに、前記延長した相関関係を用いて前記第２のレーザ駆動電圧に対応するパワーを検出し、その検出したパワーを前記第１の周波数を有するパルス光のパワーと決定するステップとを含む、請求項５から請求項７のいずれか１項に記載のパワー決定方法。
【発明の詳細な説明】
【技術分野】
【０００１】
この発明は、レーザから出射されたパルス光のパワーを決定するパワー決定装置およびパワー決定方法に関し、特に、フィードバック制御が不可能な周波数を有するパルス光のパワーを決定するパワー決定装置およびパワー決定方法に関するものである。
【背景技術】
【０００２】
光ディスクに信号を記録する光ピックアップは、所定の波長を有するレーザ光を出射する半導体レーザを備える。そして、光ピックアップは、半導体レーザをパルス駆動してパルス光によって信号を光ディスクに記録する。
【０００３】
このようなレーザ光を用いて信号を光ディスクに記録する場合、レーザ光のパワーを所定のパワーに制御することが重要であり、各種の光ディスクに対して安定、かつ、高精度で電流−パワー補正を行なうレーザパワー制御方法が知られている（特許文献１）。
【０００４】
このレーザパワー制御方法は、マルチパルスを使用して情報を記録する光ディスクに対しては、マルチパルスをモノパルス化して半導体レーザからのレーザ光のパワーをモニタし、駆動電流に対するレーザ発光量を補正するというものである。
【特許文献１】特開２００４−２７３０１１号公報
【発明の開示】
【発明が解決しようとする課題】
【０００５】
しかし、従来のレーザパワー制御方法では、フィードバック制御が不可能な高周波数を有するパルス光のパワーを検出することが困難であるという問題がある。
【０００６】
そこで、この発明は、かかる問題を解決するためになされたものであり、その目的は、フィードバック制御が不可能な高周波数を有するパルス光のパワーを正確に決定するパワー決定装置を提供することである。
【０００７】
また、この発明の別の目的は、フィードバック制御が不可能な高周波数を有するパルス光のパワーを正確に決定するパワー決定方法を提供することである。
【課題を解決するための手段】
【０００８】
この発明によれば、パワー決定装置は、パルス光のパワーがフィードバック制御可能であるときのパルス光の周波数の限界値である基準周波数よりも高い第１の周波数を有するパルス光を用いて信号を光ディスクに記録する光ピックアップにおける第１の周波数を有するパルス光のパワーを決定するパワー決定装置であって、検出手段と、パワー決定手段とを備える。検出手段は、基準周波数以下の第２の周波数からなる周波数領域においてパルス光の複数の既知のパワーが得られるようにフィードバック制御されたときの複数の第１のレーザ駆動電圧を検出するとともに、第１の周波数を有するパルス光が出射されたときの第２のレーザ駆動電圧を検出する。パワー決定手段は、複数の既知のパワーと複数の第１のレーザ駆動電圧との相関関係に基づいて、第２のレーザ駆動電圧によって出射されたパルス光のパワーを類推して第１の周波数を有するパルス光のパワーを決定する。
【０００９】
好ましくは、検出手段は、第１の周波数を有するパルス光によって信号を光ディスクに記録した後に複数の第１のレーザ駆動電圧を検出する。
【００１０】
好ましくは、検出手段は、第１の周波数を有するパルス光によって信号を光ディスクに記録するときに第２のレーザ駆動電圧を検出する。
【００１１】
好ましくは、パワー決定手段は、相関関係を第２のレーザ駆動電圧の領域まで延長するとともに、延長した相関関係を用いて第２のレーザ駆動電圧に対応するパワーを検出し、その検出したパワーを第１の周波数を有するパルス光のパワーと決定する。
【００１２】
また、この発明によれば、パワー決定方法は、パルス光のパワーがフィードバック制御可能であるときのパルス光の周波数の限界値である基準周波数よりも高い第１の周波数を有するパルス光を用いて信号を光ディスクに記録する光ピックアップにおける第１の周波数を有するパルス光のパワーを決定するパワー決定方法であって、基準周波数以下の第２の周波数からなる周波数領域においてパルス光の複数の既知のパワーを決定し、その決定した複数の既知のパワーが得られるようにフィードバック制御されたときの複数の第１のレーザ駆動電圧を検出する第１のステップと、第１の周波数を有するパルス光が出射されたときの第２のレーザ駆動電圧を検出する第２のステップと、複数の既知のパワーと複数の第１のレーザ駆動電圧との相関関係に基づいて、第２のレーザ駆動電圧によって出射されたパルス光のパワーを類推して第１の周波数を有するパルス光のパワーを決定する第３のステップとを備える。
【００１３】
好ましくは、第１のステップは、第１の周波数を有するパルス光によって信号を光ディスクに記録した後に実行される。
【００１４】
好ましくは、第２のステップは、第１の周波数を有するパルス光によって信号を光ディスクに記録するときに実行される。
【００１５】
好ましくは、第３のステップは、複数の既知のパワーと複数の第１のレーザ駆動電圧との相関関係を検出するステップと、検出された相関関係を第２のレーザ駆動電圧の領域まで延長するとともに、延長した相関関係を用いて第２のレーザ駆動電圧に対応するパワーを検出し、その検出したパワーを第１の周波数を有するパルス光のパワーと決定するステップとを含む。
【発明の効果】
【００１６】
この発明によるパワー決定装置においては、フィードバック制御が可能なパルス光の周波数領域において複数の既知のパワーが得られるときの複数の第１のレーザ駆動電圧が検出されるとともに、フィードバック制御が不可能な周波数を有するパルス光を出射するときの第２のレーザ駆動電圧が検出される。そして、複数の既知のパワーと複数の第１のレーザ駆動電圧との相関関係を用いて第２のレーザ駆動電圧によって出射されたパルス光のパワーが類推されて第１の周波数を有するパルス光のパワーが決定される。即ち、フィードバック制御が可能な周波数領域において検出されたレーザ駆動電圧を用いてフィードバック制御が不可能な周波数領域におけるパルス光のパワーが決定される。
【００１７】
したがって、この発明によれば、フィードバック制御が不可能な周波数領域においてパルス光のパワーを正確に決定できる。
【発明を実施するための最良の形態】
【００１８】
本発明の実施の形態について図面を参照しながら詳細に説明する。なお、図中同一または相当部分には同一符号を付してその説明は繰返さない。
【００１９】
図１は、この発明の実施の形態によるパワー決定装置の概略ブロック図である。図１を参照して、この発明の実施の形態によるパワー決定装置１０は、レーザドライバ１と、ダイオード２と、Ｉ−Ｖアンプ３と、フィードバック制御回路４と、電圧検出器５と、ドライブ回路６とを備える。
【００２０】
半導体レーザＬＡは、光ディスクに信号を記録する光ピックアップに含まれる光源としての半導体レーザである。そして、半導体レーザＬＡは、パルス光を出射する。パワー決定装置１０は、半導体レーザＬＡによって出射されたパルス光のパワーがフィードバック制御可能であるときのパルス光の周波数の限界値である基準周波数ｆｓｔｄよりも高い周波数ｆｈを有するパルス光が半導体レーザＬＡから出射されたときの周波数ｆｈを有するパルス光のパワーを後述する方法によって決定する。
【００２１】
そして、基準周波数ｆｓｔｄは、たとえば、５０ＭＨｚ（１０ｎｓパルス幅）であり、周波数ｆｈは、たとえば、２００ＭＨｚ（１倍速ＤＶＤ、１Ｔパルス幅を４０ｎｓとして１６倍速で２．５ｎｓ幅、５ｎｓ周期として）である。
【００２２】
半導体レーザＬＡは、接地ノードＧＮＤとレーザドライバ１との間に接続される。レーザドライバ１は、半導体レーザＬＡとフィードバック制御回路４との間に接続される。フィードバック制御回路４は、レーザドライバ１と、Ｉ−Ｖアンプ３との間に接続される。Ｉ−Ｖアンプ３は、電源ノードＶＣＣとフィードバック制御回路４との間に接続される。
【００２３】
その結果、半導体レーザＬＡ、レーザドライバ１、フィードバック制御回路４およびＩ−Ｖアンプ３は、接地ノードＧＮＤと電源ノードＶＣＣとの間に直列に接続される。
【００２４】
ダイオード２は、電源ノードＶＣＣとＩ−Ｖアンプ３との間に接続される。
【００２５】
レーザドライバ１は、ドライブ回路６からパルス信号ＰＬＳを受ける。パルス信号ＰＬＳは、基準周波数ｆｓｔｄ以下の周波数ｆｌを有するパルス光または周波数ｆｈを有するパルス光を発生させるためのパルス信号である。
【００２６】
そして、レーザドライバ１は、フィードバック制御回路４から出力された駆動電圧ＶＤに基づいて、パルス信号ＰＬＳによって指定された周波数ｆｌ，ｆｈを有するパルス光を出射するように半導体レーザＬＡを駆動する。
【００２７】
ダイオード２は、半導体レーザＬＡから出射されたパルス光を受け、その受けたパルス光の強度に応じた電流ＩをＩ−Ｖアンプ３へ出力する。
【００２８】
Ｉ−Ｖアンプ３は、ダイオード２からの電流Ｉを電圧Ｖに変換し、その変換した電圧をフィードバック制御回路４へ出力する。
【００２９】
フィードバック制御回路４は、サンプルホールド（Ｓ／Ｈ：Ｓａｍｐｌｅ  Ｈｏｌｄ）回路４１と、スイッチ４２と、抵抗４３と、ＤＡＣ端子４４と、差動増幅器４５とを含む。
【００３０】
Ｓ／Ｈ回路４１、スイッチ４２および抵抗４３は、Ｉ−Ｖアンプ３と差動増幅器４５の反転入力端子との間に直列に接続される。ＤＡＣ端子４４は、差動増幅器４５の非反転入力端子に接続される。差動増幅器４５は、抵抗４３およびＤＡＣ端子４４とレーザドライバ１との間に接続される。
【００３１】
Ｓ／Ｈ回路４１は、Ｉ−Ｖアンプ３から出力された電圧Ｖを受け、ＡＰＣ端子４６からサンプリングパルスＰＬＳＳを受ける。そして、Ｓ／Ｈ回路４１は、サンプリングパルスＰＬＳＳに同期して電圧Ｖをサンプリングするとともに、そのサンプリングした電圧Ｖをホールドし、そのホールドした電圧Ｖをスイッチ４２および抵抗４３を介して差動増幅器４５の反転入力端子へ出力する。
【００３２】
スイッチ４２は、ドライブ回路６からの信号ＳＷによってオン／オフされる。より具体的には、スイッチ４２は、Ｈ（論理ハイ）レベルの信号ＳＷによってオンされ、Ｌ（論理ロー）レベルの信号によりオフされる。
【００３３】
ＤＡＣ端子４４は、半導体レーザＬＡから出射されるパルス光のパワーを所望のパワーＰＷに設定するための基準電圧Ｖｓｔｄをドライブ回路６から受け、その受けた基準電圧Ｖｓｔｄを差動増幅器４５の非反転入力端子に供給する。
【００３４】
差動増幅器４５は、反転入力端子に入力された電圧Ｖを非反転入力端子に入力された基準電圧Ｖｓｔｄと比較し、その比較結果に応じた電圧を駆動電圧ＶＤとして出力する。より具体的には、差動増幅器４５は、電圧Ｖが基準電圧Ｖｓｔｄよりも高いとき、基準電圧Ｖｓｔｄよりも低い電圧を駆動電圧ＶＤとして出力し、電圧Ｖが基準電圧Ｖｓｔｄよりも低いとき、基準電圧Ｖｓｔｄよりも高い電圧を駆動電圧ＶＤとして出力する。そして、差増増幅器４５が上記の動作を繰り返すことにより、電圧Ｖは、基準電圧Ｖｓｔｄに設定される。
【００３５】
フィードバック制御回路４における動作が開始されると、Ｓ／Ｈ回路４１は、Ｉ−Ｖアンプ３からの電圧Ｖを受け、その受けた電圧ＶをサンプリングパルスＰＬＳＳに同期してサンプリングするとともに、そのサンプリング後の電圧Ｖをホールドして差動増幅器４５の反転入力端子へ供給する。
【００３６】
また、ＤＡＣ端子４４は、基準電圧Ｖｓｔｄをドライブ回路６から受け、その受けた基準電圧Ｖｓｔｄを差動増幅器４５の非反転入力端子へ供給する。
【００３７】
そうすると、差動増幅器４５は、反転入力端子に入力された電圧Ｖを非反転入力端子に入力された基準電圧Ｖｓｔｄと比較し、電圧Ｖが基準電圧Ｖｓｔｄに一致するように駆動電圧ＶＤを出力する。
【００３８】
したがって、フィードバック制御回路４は、Ｉ−Ｖアンプ３からの電圧Ｖとドライブ回路６からの基準電圧Ｖｓｔｄとに基づいて、電圧Ｖが基準電圧Ｖｓｔｄに一致するようにフィードバック制御し、そのフィードバック制御後の電圧を駆動電圧ＶＤとしてレーザドライバ１へ出力する。
【００３９】
なお、半導体レーザＬＡを駆動するモードとしてＡＰＣ（Ａｕｔｏ  Ｐｏｗｅｒ  Ｃｏｎｔｒｏｌ）モードおよびＡＣＣ（Ａｕｔｏ  Ｃｕｒｒｅｎｔ  Ｃｏｎｔｒｏｌ）モードが存在する。
【００４０】
そして、半導体レーザＬＡがＡＰＣモードで駆動されるとき、フィードバック制御回路４のスイッチ４２は、オンされ、半導体レーザＬＡがＡＣＣモードで駆動されるとき、フィードバック制御回路４のスイッチ４２は、オフされる。
【００４１】
ＡＣＣモードは、Ｉ−Ｖアンプ３からの電圧Ｖを用いて半導体レーザＬＡから出射されるパルス光のパワーが所望のパワーに設定されるようにフィードバック制御することが困難であるため、スイッチ４２をオフすることにしたものである。
【００４２】
したがって、ＡＣＣモードにおいては、ＤＡＣ端子４４から入力された基準電圧Ｖｓｔｄは、差動増幅器４５を介してそのままレーザドライバ１へ出力されることになる。
【００４３】
電圧検出器５は、レーザドライバ１とフィードバック制御回路４との間のノードＮ１上の駆動電圧ＶＤを検出し、その検出した駆動電圧ＶＤをドライブ回路６へ出力する。
【００４４】
ドライブ回路６は、パルス信号ＰＬＳを発生し、その発生したパルス信号ＰＬＳをレーザドライバ１へ出力する。
【００４５】
また、ドライブ回路６は、サンプリングパルスＰＬＳＳを発生し、その発生したサンプリングパルスＰＬＳＳをＳ／Ｈ回路４１のＡＰＣ端子４６へ出力する。
【００４６】
さらに、ドライブ回路６は、半導体レーザＬＡが所望のパワーＰＷのパルス光を放射するときの基準電圧Ｖｓｔｄを発生し、その発生した基準電圧ＶｓｔｄをＤＡＣ端子４４へ出力する。
【００４７】
さらに、ドライブ回路６は、半導体レーザＬＡをＡＰＣモードで駆動するとき、Ｈレベルの信号ＳＥを生成してスイッチ４２へ出力し、半導体レーザＬＡをＡＣＣモードで駆動するとき、Ｌレベルの信号ＳＷを生成してスイッチ４２へ出力する。
【００４８】
さらに、ドライブ回路６は、電圧検出器５から受けた駆動電圧ＶＤに基づいて、後述する方法によって周波数ｆｈを有するパルス光のパワーを決定する。
【００４９】
周波数ｆｈを有するパルス光のパワーを決定する方法について説明する。図２は、レーザパワーと駆動電圧との関係を示す図である。図２において、縦軸は、レーザパワーを表し、横軸は、駆動電圧を表す。
【００５０】
ＡＣＣモードにおいて半導体レーザＬＡを駆動し、周波数ｆｈを有するパルス光が半導体レーザＬＡから出射されているときの駆動電圧Ｖ１を検出する。
【００５１】
その後、ＡＰＣモードにおいて半導体レーザＬＡを駆動し、周波数ｆｌを有するパルス光のパワーを複数のパワーＰＷ２，ＰＷ３に設定したときの駆動電圧ＶＤ２，ＶＤ３を検出する。この場合、複数のパワーＰＷ２，ＰＷ３は、既知のパワーである。したがって、半導体レーザＬＡが出射されるパルス光のパワーが既知のパワーＰＷ２，ＰＷ３に設定されたときの複数の駆動電圧ＶＤ２，ＶＤ３が検出される。
【００５２】
そうすると、駆動電圧ＶＤ２，ＶＤ３と既知のパワーＰＷ２，ＰＷ３との間の相関関係を検出する。
【００５３】
この場合、図２に示すように、駆動電圧ＶＤ２，ＶＤ３と既知のパワーＰＷ２，ＰＷ３との間に直線ｋ１によって表される相関関係が存在するものとする。
【００５４】
相関関係を検出すると、その検出した相関関係に基づいて、駆動電圧ＶＤ１に対応するパルス光のパワーＰＷ１を決定する。より具体的には、相関関係である直線ｋ１を駆動電圧ＶＤ１の領域まで延長し、その延長した直線ｋ１を用いて駆動電圧ＶＤ１に対応するパワーＰＷ１を検出する。そして、その検出したパワーＰＷ１を周波数ｆｈを有するパルス光のパワーと決定する。
【００５５】
このように、この発明においては、パルス光のパワーをフィードバック制御可能なＡＰＣモードにおいて検出された複数の駆動電圧ＶＤ２，ＶＤ３を用いて、既知のパワーＰＷ２，ＰＷ３と複数の駆動電圧ＶＤ２，ＶＤ３との相関関係を検出し、その検出した相関関係を用いて、フィードバック制御が不可能な周波数ｆｈを有するパルス光のパワーを決定する。
【００５６】
図３は、図１に示すパワー決定装置１０における動作を説明するためのフローチャートである。図３を参照して、一連の動作が開始されると、ドライブ回路６は、Ｌレベルの信号ＳＷを生成してスイッチ４２へ出力するとともに、周波数ｆｈを有するパルス信号ＰＬＳを生成してレーザドライバ１へ出力する。また、ドライブ回路６は、半導体レーザＬＡから出射されるパルス光のパワーを所望のパワーＰＷ０に設定するための基準電圧Ｖｓｔｄ１を発生してＤＡＣ端子４４へ出力する。
【００５７】
スイッチ４２は、ドライブ回路６からのＬレベルの信号ＳＷに応じてオフされる。そして、ＤＡＣ端子４４は、ドライブ回路６からの基準電圧Ｖｓｔｄ１を差動増幅回路４５の非反転入力端子へ出力する。差動増幅器４５は、非反転入力端子に入力された基準電圧Ｖｓｔｄ１をそのままレーザドライバ１へ出力する。
【００５８】
そうすると、レーザドライバ１は、差動増幅器４５から入力された基準電圧Ｖｓｔｄ１に基づいて、パルス信号ＰＬＳによって指定された周波数ｆｈを有するパルス光を出射するように半導体レーザＬＡに電流を供給し、半導体レーザＬＡを駆動する。
【００５９】
そして、電圧検出器５は、ノードＮ１上の駆動電圧ＶＤ１（＝基準電圧Ｖｓｔｄ１）を検出し、その検出した駆動電圧ＶＤ１をドライブ回路６へ出力する（ステップＳ１）。
【００６０】
ドライブ回路６は、電圧検出器５から駆動電圧ＶＤ１を受けると、Ｈレベルの信号ＳＥを生成してフィードバック制御回路４のスイッチ４２へ出力する。
【００６１】
また、ドライブ回路６は、周波数ｆｌを有するパルス信号ＰＬＳを生成してレーザドライバ１へ出力する。
【００６２】
さらに、ドライブ回路６は、サンプリングパルスＰＬＳＳを発生してＡＰＣ端子４６へ出力するとともに、半導体レーザＬＡから出射されるパルス光のパワーを既知のパワーＰＷ２に設定するための基準電圧Ｖｓｔｄ２を発生してＤＡＣ端子４４へ出力する。
【００６３】
そうすると、スイッチ４２は、Ｈレベルの信号ＳＷに応じてオンされ、ＤＡＣ端子４４は、基準電圧Ｖｓｔｄ２を差動増幅器４５の非反転入力端子へ出力する。これにより、半導体レーザＬＡは、ＡＰＣモードによって駆動される。
【００６４】
差動増幅器４５は、Ｉ−Ｖアンプ３からの電圧Ｖを基準電圧Ｖｓｔｄ２と比較し、その比較結果に応じた電圧を駆動電圧ＶＤとしてレーザドライバ１へ出力する。そして、レーザドライバ１は、差動増幅器４５から出力された駆動電圧ＶＤに基づいて、パルス信号ＰＬＳによって指定された周波数ｆｌを有するパルス光を放射するように半導体レーザＬＡを駆動する。
【００６５】
そして、電圧検出器５は、半導体レーザＬＡから放射されたパルス光のパワーが既知のパワーＰＷ２に設定されたときの駆動電圧ＶＤ２を検出し、その検出した駆動電圧ＶＤ２をドライブ回路６へ出力する。
【００６６】
ドライブ回路６は、電圧検出器５から駆動電圧ＶＤ２を受けると、半導体レーザＬＡから出射されるパルス光のパワーを既知のパワーＰＷ３に設定するための基準電圧Ｖｓｔｄ３を発生してＤＡＣ端子４４へ出力する。
【００６７】
そうすると、ＤＡＣ端子４４は、基準電圧Ｖｓｔｄ２を差動増幅器４５の非反転入力端子へ出力し、フィードバック制御回路４は、半導体レーザＬＡから出射されるパルス光のパワーが既知のパワーＰＷ３に設定されるように制御する。
【００６８】
そして、電圧検出器５は、半導体レーザＬＡから放射されたパルス光のパワーが既知のパワーＰＷ３に設定されたときの駆動電圧ＶＤ３を検出し、その検出した駆動電圧ＶＤ３をドライブ回路６へ出力する（ステップＳ２）。
【００６９】
ドライブ回路６は、電圧検出器５から駆動電圧ＶＤ２，ＶＤ３を受けると、既知のパワーＰＷ２，ＰＷ３と駆動電圧ＶＤ２，ＶＤ３との間の相関関係（＝直線ｋ１）を検出し（ステップＳ３）、その検出した相関関係（＝直線ｋ１）に基づいて、上述した方法によって、駆動電圧ＶＤ１によって出射されたパルス光のパワーを類推し、その類推したパワーを基準周波数ｆｓｔｄよりも高い周波数ｆｈを有するパルス光のパワーＰＷ１と決定する（ステップＳ４）。
【００７０】
これによって、一連の動作が終了する。
【００７１】
上述したステップＳ１は、好ましくは、周波数ｆｈを有するパルス光を用いて信号を光ディスクに記録するときに実行される。実際に信号を記録するときに駆動電圧ＶＤ１を検出し、その検出した駆動電圧ＶＤ１に対応するパワーを決定する方が記録時のパワーをより正確に決定できるからである。
【００７２】
また、上述したステップＳ２は、好ましくは、周波数ｆｈを有するパルス光を用いて信号を光ディスクに記録した後に実行される。
【００７３】
このように、フィードバック制御が可能な周波数領域において、半導体レーザＬＡが既知のパワーＰＷ２，ＰＷ３を有するパルス光を出射するときの駆動電圧ＶＤ２，ＶＤ３を検出し、既知のパワーＰＷ２，ＰＷ３と駆動電圧ＶＤ２，ＶＤ３との間の相関関係に基づいて、基準周波数ｆｓｔｄよりも高い周波数ｆｈを有するパルス光のパワーＰＷ１を類推することにより、フィードバック制御が不可能な周波数領域において半導体レーザＬＡから出射されたパルス光のパワーを正確に決定できる。
【００７４】
なお、上記においては、フィードバック制御が可能な周波数領域における既知のパワーおよびその既知のパワーに対する駆動電圧の個数は、２個であると説明したが、この発明においては、これに限らず、既知のパワーおよびその既知のパワーに対する駆動電圧の個数は、３個以上であってもよい。
【００７５】
そして、既知のパワーおよびその既知のパワーに対する駆動電圧の個数が多い方が周波数ｆｈを有するパルス光のパワーの類推がより正確になる。
【００７６】
また、複数のパワーＰＷ２，ＰＷ３と複数の駆動電圧ＶＤ２，ＶＤ３との相関関係は、直線関係に限らず、曲線であってもよい。
【００７７】
この発明においては、電圧検出器５は、「検出手段」を構成し、ドライブ回路６は、「パワー決定手段」を構成する。
【００７８】
今回開示された実施の形態はすべての点で例示であって制限的なものではないと考えられるべきである。本発明の範囲は、上記した実施の形態の説明ではなくて特許請求の範囲によって示され、特許請求の範囲と均等の意味および範囲内でのすべての変更が含まれることが意図される。
【産業上の利用可能性】
【００７９】
この発明は、フィードバック制御が不可能な高周波数を有するパルス光のパワーを正確に決定するパワー決定装置に適用される。また、この発明は、フィードバック制御が不可能な高周波数を有するパルス光のパワーを正確に決定するパワー決定方法に適用される。
【図面の簡単な説明】
【００８０】
【図１】この発明の実施の形態によるパワー決定装置の概略ブロック図である。
【図２】レーザパワーと駆動電圧との関係を示す図である。
【図３】図１に示すパワー決定装置における動作を説明するためのフローチャートである。
【符号の説明】
【００８１】
１  レーザドライバ、２  ダイオード、３  Ｉ−Ｖアンプ、４  フィードバック制御回路、５  電圧検出器、６  ドライブ回路、１０  パワー決定装置、４１  Ｓ／Ｈ回路、４２  スイッチ、４３  抵抗、４４  ＤＡＣ端子、４５  差動増幅器、４６  ＡＰＣ端子。
【図１】
2006277858.tif 000003
【図２】
2006277858.tif 000004
【図３】
2006277858.tif 000005